(57)【要約】【課題】情報処理装置において、ジョブの中の章に対する後処理の設定の際に、ユーザに負荷を掛けず、個別の章単位で後処理を設定／解除するという細やかな設定ができるようにする。【解決手段】情報処理装置（クライアントＰＣ１０）であって、ジョブに対する後処理の設定及びジョブを章単位に区切る章区切りの設定指示を受け付けて設定する設定手段（ＧＵＩ部１０２（１））と、設定された前記後処理及び前記章区切りを記憶手段に保存させる保存手段（データ保存部１０２（３））と、前記ジョブに対して設定された後処理を、前記章単位で有効又は無効にするかの選択指示を受け付けて選択する選択手段（ＧＵＩ部１０２（１））と、を有する。【選択図】    図２
2014235516.tif 000002
【特許請求の範囲】
【請求項１】
ジョブに対する後処理の設定及びジョブを章単位に区切る章区切りの設定指示を受け付けて設定する設定手段と、
設定された前記後処理及び前記章区切りを記憶手段に保存させる保存手段と、
前記ジョブに対して設定された後処理を、前記章単位で有効又は無効にするかの選択指示を受け付けて選択する選択手段と、
を有する情報処理装置。
【請求項２】
請求項１に記載された情報処理装置において、
前記設定手段は、例外ページの設定指示を受け付けて設定し、かつ保存された例外ページに対する前記ジョブの設定と異なる印刷設定の指示を受け付けて設定し、
前記保存手段は、設定された前記例外ページを記憶手段に保存させ、かつ前記ジョブの設定と異なる印刷設定を前記記憶手段に保存させる、情報処理装置。
【請求項３】
請求項２に記載された情報処理装置において、
章と例外ページを関係付けて表示画面に一覧で表示させる表示手段、
を有する情報処理装置。
【請求項４】
請求項１に記載された情報処理装置において、
前記設定手段は、後処理の適用範囲に対して「ジョブごと」又は「章ごと」又は「シートごと」の設定指示を受け付けて設定し、
前記選択手段は、「章ごと」の設定を受け付けたとき、前記保存された章に対して、ジョブで設定している各後処理を有効にするか無効にするかの選択指示を受け付けて選択し、「シートごと」の設定指示を受け付けたときは、「シート間隔」の設定指示を受け付けたことを条件に、ジョブで設定している各後処理を前記「シート間隔」に対して適用する情報処理装置。
【請求項５】
請求項１ないし４のいずれかに記載された情報処理装置において、
前記設定手段は、前記保存された章に対して、後処理以外の印刷設定の設定指示を受け付けて設定し、前記保存手段は、設定した前記後処理以外の印刷設定を記憶手段に保存する情報処理装置。
【請求項６】
請求項１ないし５のいずれかに記載された情報処理装置において、
前記設定手段は、印刷設定がなされた章又は例外ページに対する、設定値の変更指示を受け付け、当該設定値を変更させる情報処理装置。
【請求項７】
請求項１ないし６のいずれかに記載された情報処理装置と、少なくとも前記情報処理装置で生成した印刷データの印刷を行う印刷装置を備えた印刷システム。
【請求項８】
ジョブに対する後処理の設定及びジョブを章単位に区切る章区切りの設定指示を受け付けて設定する設定工程と、
設定された前記後処理及び前記章区切りを記憶手段に保存させる保存工程と、
前記ジョブに対して設定された後処理を、前記章単位で有効又は無効にするかの選択指示を受け付けて選択する選択工程と、
を有する情報処理装置における設定方法。
【請求項９】
情報処理装置のコンピュータを、
ジョブに対する後処理の設定及びジョブを章単位に区切る章区切りの設定指示を受け付けて設定する設定手段、
設定された前記後処理及び前記章区切りを記憶手段に保存させる保存手段、
前記ジョブに対して設定された後処理を、前記章単位で有効又は無効にするかの選択指示を受け付けて選択する選択手段、
として機能させるためのコンピュータ読み取り可能なプログラム。
【発明の詳細な説明】
【技術分野】
【０００１】
本発明は、情報処理装置、情報処理装置を備えた印刷システム、設定方法及びプログラムに関する。
【背景技術】
【０００２】
印刷出力そのものが製品となる場合が多い、例えばプロダクションプリンティング業界向けのプリンタでは、従来のオフィス印刷のような簡易な印刷物ではなく、ページ毎に印刷メディアタイプや印刷のための設定が異なるような高付加価値の印刷物を出力することが望まれる。このようにページ毎の印刷のための設定の実現を可能とする機能としては、特殊ページもしくは例外ページと呼ばれる機能が既に知られている。
ここで、特殊ページもしくは例外ページ（以下、単に、例外ページという）機能は、ジョブの印刷設定とは異なる印刷設定を任意の指示ページ範囲に対して適用することができる機能である。指示ページ範囲は、開始ページと終了ページを指示することで定義する。例外ページは、例えば、用紙設定、後処理設定、カラー／（又は）モノクロ設定などをジョブ全体の設定値とは異なる設定値を、任意の指示ページ範囲に対して適用することができる。
【０００３】
また、ジョブ全体を大まかに分けた単位として、「章」という概念が知られている。「章」機能は、必ず区切れ目（シートの表面、設定によっては裏面）が来るページを指示(定義)する機能である。後処理（ステープル、パンチ、折り処理など）は章ごとの単位で指示（又は指定）される。ジョブを構成するページ範囲の大きさとしては、ジョブ＞章＞例外ページである。基本的にはこのような構成になるが、章をまたいで例外ページが指示されることもあり得る。
【０００４】
ところで、従来のＵＩ（ユーザインタフェース）では、任意のページ単位（例外ページ）で印刷設定を指示できるが、章単位の後処理の指示はできない。そのため、例外ページの機能を使って、それぞれの章に相当するページ範囲で後処理を指示する必要がある。ユーザはそれぞれの章が何ページから何ページまでなのか、常に確認しながら印刷設定する必要があり、ユーザの設定の際の負荷は大きい。
また、従来のＵＩでは、分けた章に対して一括で後処理設定を適用することはできるものの、一括で設定した後に、個別の章に対して後処理を設定／（又は）解除するという細やかな設定を行うことができない。
【０００５】
このため、ジョブの中の章に対する後処理の設定の際に、前記細やかな設定を行うにはユーザの設定の負荷が大きい。また、前記の問題とは別に、章と例外ページが独立しており、設定リストには例外ページの設定値のみが表示されている。そのため、章と例外ページを合わせた最終的な出力結果については容易に想像することができない。したがって、視認性を欠くという問題もある。
【０００６】
これに対し、特許文献１（特開２０１１−８１７４８号公報）には、印刷設定作業におけるユーザの負荷を軽減する目的で、１つの文書を分割するため分割単位をページ数で指示する方法と、その分割した単位に対して、印刷出力に関する処理を個別に施す指示ができる方法が開示されている。
この方法によれば、個別のページ範囲で後処理を設定／解除するという細やかな設定を行うことができる。したがって、以下で説明する本発明と類似する点がある。しかし、この方法では、ジョブの中の章に対する後処理の設定の際に、細やかな設定をすることはできない。そのため、ユーザの設定の負荷が大きいという点は未だ解決されていない。
【発明の概要】
【発明が解決しようとする課題】
【０００７】
本発明は、情報処理装置において、ジョブの中の章に対する後処理の設定の際に、ユーザに負荷を掛けず、個別の章単位で後処理を設定又は解除するという細やかな設定ができるようにすることを目的とする。
【課題を解決するための手段】
【０００８】
本発明は、ジョブに対する後処理の設定及びジョブを章単位に区切る章区切りの設定指示を受け付けて設定する設定手段と、設定された前記後処理及び前記章区切りを記憶手段に保存させる保存手段と、前記ジョブに対して設定された後処理を、前記章単位で有効又は無効にするかの選択指示を受け付けて選択する選択手段と、を有する情報処理装置である。
【発明の効果】
【０００９】
本発明によれば、ジョブの中の章に対する後処理の設定の際に、ユーザに負荷を掛けず、個別の章単位で後処理を設定又は解除するという細やかな設定が可能である。
【図面の簡単な説明】
【００１０】
【図１】本発明の実施形態に係る印刷システムの構成を説明する図である。
【図２】本発明の実施形態におけるクライアントＰＣの機能ブロック図である。
【図３】ＤＦＥコントローラの機能ブロック図である。
【図４】クライアントＰＣのＧＵＩ部による、後処理設定画面中の後処理適用範囲の設定ＵＩコントロール画面の一例である。
【図５】クライアントＰＣのＧＵＩ部における後処理設定画面の一例である。
【図６】クライアントＰＣのＧＵＩ部における章の定義を行うＵＩコントロール画面の一例である。
【図７】例外ページ設定値一覧の一例である。
【図８】章に対する設定画面の一例である。
【図９】例外ページに対する設定画面の一例である。
【図１０】例外ページ設定値一覧の他の例である。
【図１１】クライアントＰＣのプリンタドライバからＤＦＥコントローラへ印刷指示とともに、後処理設定と例外ページ設定を行うときの、プリンタドライバにおける一般的な処理手順の一例を示すフロー図である。
【図１２】後処理の設定と、章及び例外ページに対して印刷設定をする際の処理手順を示すフロー図である。
【図１３】ユーザが個々の後処理を設定する際のプリンタドライバにおける処理手順を示すフロー図である。
【図１４】章を定義する際のＧＵＩ部が行う処理手順を示すフロー図である。
【図１５】各後処理の設定画面における表示と例外ページ設定値一覧への表示における、ＧＵＩ部における処理手順を示すフロー図である。
【発明を実施するための形態】
【００１１】
本発明をその実施形態について図面を参照して説明する。
本実施形態は、後処理を部分的な範囲に適用する処理に際して、以下の特徴を有する。即ち、章を定義して、後処理の設定をジョブ全体に対して行うか、定義した章単位に対して行うかを選択でき、章単位を選択した場合は、その章単位ごとの後処理の有効、無効を個別に設定できる。
また、章という単位と例外ページという任意のページ単位を別々に扱い、しかも両者を合わせて一つの表の中で表現することができる。
本実施形態について、以下図面を参照して説明する。
【００１２】
図１は、本発明の実施形態に係る印刷システム１の構成を説明する図である。
この印刷システム１は、図示のように、印刷データを生成する情報処理装置であるクライアントＰＣ（Personal Computer）１０と、クライアントＰＣ１０からのジョブチケットを解釈して、プリンタ１４に印刷指示を行うＤＦＥ（Digital Front End)コントローラ１２と、印刷装置であるプリンタ１４とから成っている。また、クライアントＰＣ１０は、ネットワーク１６を介して、ＤＦＥコントローラ１２及びプリンタ１４に接続されている。
ユーザは、クライアントＰＣ１０によって印刷設定を行い、ジョブチケットを、ネットワーク１６を介してＤＦＥコントローラ１２に転送することで印刷命令を出す。ＤＦＥコントローラ１２は受け取ったジョブチケットを解釈し、プリンタ１４に印刷指示を出す。
【００１３】
図２は、本発明の実施形態におけるクライアントＰＣ１０の機能ブロック図である。
即ち、クライアントＰＣ１０は、印刷指示を行う情報処理装置であり、アプリケーション１０１と、プリンタドライバ１０２と、ポートモニタ１０３を備える。ここで、アプリケーション１０１は、文書作成ソフトなどのアプリケーションである。
プリンタドライバ１０２は、ＧＵＩ（Graphical User Interface）部１０２（１）と、プレビュー表示部１０２（２）と、データ保存部１０２（３）と、ジョブチケット生成部１０２（４）と、描画部１０２（５）を有する。
【００１４】
ＧＵＩ部１０２（１）は、アプリケーション１０１から立ち上げる印刷設定を行うユーザインタフェースであり、本発明の、それぞれ設定手段、選択手段、表示手段に対応する。
プレビュー表示部１０２（２）は、印刷設定の簡易プレビューを表示画面に表示させる。
データ保存部１０２（３）は、本発明の保存手段に対応し、ＧＵＩ部１０２（１）を介してユーザの指示した印刷設定を記憶手段(図示せず)に保存（登録）させる。
ジョブチケット生成部１０２（４）は、データ保存部１０２（３）の設定を反映したジョブチケットを作成する。
描画部１０２（５）は、プリンタ１４が解釈できるＰＤＬ（Page Description Language）データを生成する。
ポートモニタ１０３のデータ転送部１０３（１）は、生成したＰＤＬデータおよびジョブチケットをＤＦＥコントローラ１２に転送する。
また、プリンタドライバ１０２の前記各部は、いずれもコンピュータにプログラムを読み取らせることで実現する機能実現手段である。
【００１５】
図３は、ＤＦＥコントローラ１２の機能ブロック図である。
ＤＦＥコントローラ１２の各構成要素は、それぞれ以下の機能を有する。即ち、データ取得部１２１は、クライアントＰＣ１０より転送された印刷データを受け取る。
ジョブ表示部１２２は、取得した印刷データをジョブとして表示するＵＩである。
チケット解析部１２３は、受け取ったジョブチケットの内容を解析し、印刷設定を読み込む。
プレビュー表示部１２４は、解析した印刷設定とＰＤＬデータを基にプレビューを表示する。
データ転送部１２５は、印刷指示と共に印刷データをプリンタ１４に転送する。
【００１６】
図４は、クライアントＰＣ１０のＧＵＩ部１０２（１）による、後処理設定画面中の後処理適用範囲の設定ＵＩコントロール画面の一例である。
ユーザは、このＵＩコントロール画面において、後処理適用範囲をどの範囲にするのかを指示する。指示に際しての選択肢としては、「ジョブごと」、「章ごと」、「シートごと」などがある。
ユーザが、「ジョブごと」を選択した場合は、ＧＵＩ部１０２（１）は、ジョブ全体に対して後処理を一意に適用する。また、「ジョブごと」を選択した場合は、ＧＵＩ部１０２（１）は、その後、例外ページの設定画面において個別の章ごとの解除設定を行うことはしない。
ユーザが、「章ごと」を選択した場合は、ＧＵＩ部１０２（１）は、後処理を章ごと一括で指示する。しかし、ＧＵＩ部１０２（１）は、ユーザが、後の例外ページの設定画面において、個別の章ごとに後処理の解除設定を行うことができるようにする。
ユーザが、「シートごと」を選択した場合は、ＧＵＩ部１０２（１）は、シート間隔の指示を受け付けたことを条件に、指示した間隔ごとに後処理を適応させる。
この場合、ＧＵＩ部１０２（１）は、後の例外ページの設定画面において、個別の章ごとの解除設定を行うことはしない。
【００１７】
図５は、クライアントＰＣ１０のＧＵＩ部１０２（１）における後処理設定画面の一例である。ここでは、ステープル、パンチ、折りの種類を設定する（ＯＮ）もしくは「しない」（ＯＦＦ）の設定をする。なお、ステープルの設定においては、そのサブ属性として、前の章とまとめてステープルをするか選択させるようにしてもよい。
【００１８】
図６は、クライアントＰＣ１０のＧＵＩ部１０２（１）における章の定義を行うＵＩコントロール画面の一例である（ここでは、ページを指示することで章を定義する）。この画面は例外ページの設定画面から開くことを想定しているが、後処理の画面から開いてもよく、場所（設定画面）は限定しない。
前記ＵＩコントロール画面において、ユーザは、章をどのページから始めるかをカンマで区切るなどして入力する。これにより、入力したページを開始ページ（前のページのシート裏面にならないページ）とした章を定義することができる。
たとえば「１、４、７」と入力すると、両面（印刷）ジョブの場合、３ページの次のページにはブランクページが入り、４ページは新しいシートで始めることができる。「１−３」「４−６」「７−最後」をそれぞれ章として区別して扱うことができる。ブランクページを追加する／追加しない、の判断のフローは図１４に関連して後述する。
【００１９】
図７は、例外ページ設定値一覧（例外ページリスト）の一例である。図６の画面入力で、ユーザが分けた章毎に、図５に示すように設定した後処理の設定がそれぞれの章に対して有効（ＯＮ）か無効（ＯＦＦ）かを表示する。
図示の例は、図４および図５のＵＩコントロール画面において、後処理の適用範囲＝「章ごと」、後処理；設定ステープル＝「左上」、パンチ＝「左２か所」、折り＝「Ｚ折り」を選択し、図６の章の定義を行うＵＩコントロール画面で、Pageにおいて［１、５、１０］と入力した後で、例外ページの設定画面を開いた直後の例外ページ設定値一覧である。
【００２０】
図８は、章に対する設定画面の一例である。このダイアログ（画面又はウインドウ）は、図７の例外ページの設定値一覧表示画面において、［章］ボタンを押下することによって開かれる。このダイアログでは、図５の画面において行った後処理の設定を、当該章（ここでは３−８ページ）に対して有効にするか無効にするか設定することができる。例えばStaple（ステープル）、Punch（パンチ）、Z-fold折りのＵＩコントロール画面の選択肢として「ＯＮ／ＯＦＦ」が表示される（図示例ではいずれもＯＮが表示されている）。またこのダイアログでは、後処理以外の印刷設定も設定することができる。
【００２１】
図９は、例外ページに対する設定画面の一例である。このダイアログは、図７の例外ページ設定値一覧表示画面において、［例外］ボタンを押下することによって開かれる。このダイアログでは、章の中の任意のページに対する例外ページの印刷設定を行う。なお、ここでいう印刷設定には、図８に示す後処理設定は含まれない。
【００２２】
図１０は、例外ページ設定値一覧の他の例である。
即ち、図１０は、章とその章の中の例外ページを合わせて、例外ページに対する設定を一覧で表示している。表示項目として後処理（ステープル、パンチ、折り）とその他カラー設定、面付け関係の設定などを表示する。図４のＵＩコントロール画面において選択した「章ごと」に、図５のＵＩコントロール画面において設定した後処理の設定が有効か無効かをＯＮかＯＦＦかで表示している。
この例外ページ設定値一覧表示は、以下の手順で設定された表示である。即ち、図７の例外ページ設定値一覧表示画面において、［章］ボタンを押下して図８のダイアログ（章に対する設定画面）を開く。次に、図６で定義した章から、章（Chapter）＝「１−４  Page」を選び、パンチ(Punch)＝「ＯＦＦ」、カラー／白黒（Color／black and White）＝「白黒」の設定を当該章に対して行う。次に、この章の設定画面を閉じ、図７の例外ページ設定値一覧表示画面に戻ったあと［例外］ボタンを押下して図９のダイアログ（例外ページに対する設定画面）を開く。次に、このダイアログにおいて、Page Rangeに例外ページ＝「３−４、１０−」を入力し、回転（Rotate）＝「９０度」として例外ページに対する設定を行う。次に、例外ページに対する設定画面を閉じ、図７の例外ページの画面に戻ったあと［例外］ボタンを押下して図９の例外ページ設定画面のダイアログを開く。次に、ページ＝「５−８」を入力し、用紙種類＝「ピンク」として例外ページの設定を行い、例外ページの設定画面を閉じ、例外ページの画面に戻る。
【００２３】
図１１は、クライアントＰＣ１０のプリンタドライバ１０２からＤＦＥコントローラ１２へ印刷指示とともに、後処理設定と例外ページ設定を行うときの、プリンタドライバ１０２における一般的な処理手順の一例を示すフロー図である。
即ち、プリンタドライバ１０２は、ユーザからの起動指示を受け付けると（Ｓ１０１）、ＧＵＩ部１０２（１）のダイアログに設定項目を表示する（Ｓ１０２）。ユーザは、ＧＵＩ部１０２（１）を通して、つまり、ＧＵＩ部１０２（１）のダイアログに表示された設定項目を選択又は設定値を入力することで、ＧＵＩ部１０２（１）に対して後処理を指示し、ＧＵＩ部１０２（１）はこの指示を受け付けることで後処理の設定を行う（Ｓ１０３）。なお、以下の記載で「ＧＵＩ部１０２（１）を通して」は、この意味に用いる。
【００２４】
プリンタドライバ１０２（データ保存部１０２（３））は、設定された後処理の印刷設定をそのデータ保存部１０２（３）で記憶手段に保存(登録)させる（Ｓ１０４）。次に、ユーザは、前記と同様にＧＵＩ部１０２（１）を通して例外ページの印刷設定を行う（Ｓ１０５）。プリンタドライバ１０２は、設定された例外ページの印刷設定をデータ保存部１０２（３）で記憶手段に保存させる（Ｓ１０６）。
【００２５】
次に、ジョブチケット生成部１０２（４）は、データ保存部１０２（３）で保存している設定を基にジョブチケットを生成する（Ｓ１０７）。また、描画部１０２（５）は、ジョブのＰＤＬデータを生成する（Ｓ１０８）。データ転送部１０３（１）は、生成したジョブチケットとＰＤＬデータをＤＦＥコントローラ１２へ転送し（Ｓ１０９）、この処理を終了する。
【００２６】
図１２は、後処理の設定と、章及び例外ページに対して印刷設定をする際の処理手順を示すフロー図である。
この処理は、プリンタドライバ１０２で実行される。
以下その実施形態について説明する。なお、この実施形態においては、章の設定をする際には、後処理を含む印刷設定を行うことができ、例外ページの設定をする際には、後処理以外の印刷設定を行うことができる。
【００２７】
ユーザは、ＧＵＩ部１０２（１）を通して後処理の適用範囲の設定（図４）と（Ｓ２０１）、個々の後処理の設定（図５）を行う（Ｓ２０２）。次に、ユーザは、ＧＵＩ部１０２（１）を通して章を定義し（図６）、プリンタドライバ１０２は、それに応じた内部処理を行う（Ｓ２０３）。プリンタドライバ１０２は、ユーザにより定義された章と、図４、５に示す後処理設定画面で設定された後処理の設定の有無を判断する（Ｓ２０４）。ＧＵＩ部１０２（１）は、その判断に従って、それぞれの章に対して該当の後処理のＯＮ／ＯＦＦを表示する（図７）（Ｓ２０５）。
ここでユーザは、必要に応じて、ＧＵＩ部１０２（１）を通して各章に対する個々の後処理のＯＮ（有効）／ＯＦＦ（無効）を定義（指示）する（図８）（Ｓ２０６）。
【００２８】
次に、ユーザは必要に応じて、ＧＵＩ部１０２（１）を通して、例外ページとして扱うページの定義と、例外ページに対する印刷設定を行う（図９）（Ｓ２０７）。ＧＵＩ部１０２（１）は、ユーザによる前記定義と前記設定を受け付け、印刷設定に応じて表示内容を更新して表示画面に表示する（Ｓ２０８）。
【００２９】
図１３は、ユーザが個々の後処理を設定する際のプリンタドライバ１０２における処理手順を示すフロー図である。
ステープル、パンチ、折り等の後処理の設定の選択肢にはＯＦＦが含まれている。
即ち、ユーザがステープルの設定値として、「ＯＦＦ」か、何らかの種類（例えば、左１か所、右２か所など）から設定値を選択する（Ｓ３０１）。ユーザはパンチの設定値として、「ＯＦＦ」か、何らかの種類（例えば、左２穴、リングパンチなど）から設定値を選択する（Ｓ３０２）。さらに、ユーザは折りの設定値として、「ＯＦＦ」か、何らかの種類（例えば、Ｚ折り、２つ折りなど）から設定値を選択する（Ｓ３０３）。プリンタドライバ１０２は、各後処理の設定値を、データ保存部１０２（３）で記憶手段に保存(登録)させる（Ｓ３０４）。
【００３０】
図１４は、章を定義する際のＧＵＩ部１０２（１）が行う処理手順を示すフロー図である。
ここでは、次の章の開始ページが必ず新しいシートで始まるようにするため、章の終了ページがシートの片面（表面）になるか否か判断する。片面になる場合はブランクページを追加する処理を行う。なお、ブランクページはページ数としてはカウントしない。この処理は章の開始ページが定義された数だけ繰り返す。
【００３１】
即ち、ＧＵＩ部１０２（１）は、ユーザにより入力された章区切り（章区切りの数＝章の数）を取得する（受け付ける）（Ｓ４０１）。次に、章の開始ページから当該章の終了ページを算出する（Ｓ４０２）。ここで、章の終了ページがシートの片面であれば（Ｓ４０３、ＹＥＳ）、章の終了ページの次のページにブランクページを追加する（Ｓ４０４）。次に、ＧＵＩ部１０２（１）は、当該章の定義データをデータ保存部１０２（３）で記憶手段に保存(登録)させる（Ｓ４０５）。ここで、次の章の開始ページが定義されていれば（Ｓ４０６、ＹＥＳ）、ステップ４０２に戻り、以下の処理を繰り返す。ステップＳ４０６で次の章の開始ページが定義されていなければ、つまり、すべての章についての前記処理が終了してれば（Ｓ４０６、ＮＯ）、この処理フローを終了する。
【００３２】
以上の処理を具体的に説明すると、例えば、章の定義として開始ページ［１、６、１０］が入力されている場合、一つ目の章の開始ページ＝１、終了ページ＝５となり、両面（印刷）ジョブの場合、章の終了ページが片面となる。そのためブランクページを足し、１つの章としてデータ保存部１０２（３）で記憶手段に保存(登録)させる。
この場合、次の章の開始ページ＝６が定義されているので、次の章の開始ページ＝６、終了ページ＝９となる。ここでは、５ページの次にブランクページを追加したことで、章の終了ページが片面とならないので、ブランクページを足さずに、１つの章として、データ保存部１０２（３）で記憶手段に保存（登録）させる。
同様に、さらに次の章は開始ページ＝１０、終了ページ＝Ｎ（最終ページ）として１つの章として、データ保存部１０２（３）で記憶手段に保存(登録)させる。１０ページ以降についは章の開始ページは定義されていないので、処理は終了となる。
【００３３】
図１５は、各後処理の設定画面における表示と例外ページ設定値一覧の表示における、ＧＵＩ部１０２（１）における処理手順を示すフロー図である。
即ち、ＧＵＩ部１０２（１）は、ユーザにより行われたジョブの後処理設定を取得する（受け付ける）（Ｓ５０１）。次に、ＧＵＩ部１０２（１）は、後処理の適用範囲＝「章ごと」か否かを判断する（Ｓ５０２）。ここで、「章ごと」であれば（Ｓ５０２、ＹＥＳ）、ＧＵＩ部１０２（１）は、各後処理の設定が「ＯＦＦ」でないか判断する（Ｓ５０３）。ここで、各後処理の設定が「ＯＦＦ」でなければ（Ｓ５０３、ＹＥＳ）、ＧＵＩ部１０２（１）は、例外ページ設定値一覧への表示においては「ＯＮ」として表示する。また、章に対する設定画面（図８）のＵＩコントロール画面においては、「ＯＮ／ＯＦＦの設定可能」と表示して（Ｓ５０４）、この処理を終了する。
【００３４】
ＧＵＩ部１０２（１）は、ステップＳ５０２において、後処理の適用範囲が「章ごと」でないと判断したとき（Ｓ５０２、ＮＯ）、およびステップＳ５０３において、各後処理の設定が「ＯＦＦ」であると判断したときは（Ｓ５０３、ＮＯ）、例外ページ設定値一覧（図７）への表示および章に対する設定画面（図８）のＵＩコントロール画面において、いずれも「ＯＦＦ」と表示して、設定値を変更できない状態にする（Ｓ５０５）。この状態で処理を終了する。
【００３５】
次に、以上の処理を具体的に説明する。即ち、ここでは、図１５のフロー図の処理手順を利用する。例えば、図４及び図５の後処理範囲画面および後処理設定画面において、後処理の範囲＝「章ごと」、ステープル＝「左２か所」、パンチ＝「ＯＦＦ」、折り＝「Ｚ折り」となっている場合は、図７の例外ページ設定値一覧の表示においては、ステープル：ＯＮ、パンチ＝ＯＦＦ、折り：ＯＮとして表示される。
【００３６】
図８の章に対する設定画面のＵＩコントロール画面においては、ステープルのＵＩコントロール画面では「ＯＮ／ＯＦＦ」が選択可能、パンチのＵＩコントロール画面は中身が「ＯＦＦ」でグレーアウトし、設定値を変えられない状態、折りのＵＩコントロール画面は「ＯＮ／ＯＦＦ」が選択可能となる。
なお、章及び例外ページに対する印刷設定については、ユーザの指示により適宜変更が可能である。即ち、ＧＵＩ部（１）は、印刷設定がなされた章又は例外ページに対する、設定値の変更指示を受け付け、当該設定値を変更させる。
また、以上で説明した、プリンタドライバ１０２の各処理は、クライアントＰＣ１０のコンピュータにプログラムを読み取らせることで実現する、プリンタドライバ１０２のＧＵＩ部１０２（１）などの機能実現手段によって実行される。
【００３７】
本実施形態によれば、章を定義して、後処理の設定をジョブ全体に対して行うか、定義した章単位に対して行うかの選択（設定）ができる。また、その章単位ごとの後処理の有効、無効を個別に設定できる。また、「章」単位と、任意のページ単位である「例外ページ」に対するそれぞれの設定を、合わせてひとつの表（例外ページ設定値一覧）の中で表現できる。したがって、ジョブの中の章に対する後処理の設定の際に、ユーザに負担をかけず、個別の章単位で後処理を設定／解除するという、従来の設定よりも細やかな設定ができる。また、最終的な出力結果を、例外ページ設定値一覧により容易に想像できるという効果も得られる。
【符号の説明】
【００３８】
１・・・印刷システム、１０・・・クライアントＰＣ、１２・・・ＤＦＥコントローラ、１４・・・プリンタ、１６・・・ネットワーク、１０１・・・アプリケーション、１０２・・・プリンタドライバ、１０２（１）・・・ＧＵＩ部、１０２（２）・・・プレビュー表示部、１０２（３）・・・データ保存部、１０２（４）・・・ジョブチケット生成部、１０２（５）・・・描画部、１０３・・・ポートモニタ、１０３（１）・・・データ転送部。
【先行技術文献】
【特許文献】
【００３９】
【特許文献１】特開２０１１−８１７４８号公報
【図１】
2014235516.tif 000003
【図２】
2014235516.tif 000004
【図３】
2014235516.tif 000005
【図４】
2014235516.tif 000006
【図５】
2014235516.tif 000007
【図６】
2014235516.tif 000008
【図７】
2014235516.tif 000009
【図８】
2014235516.tif 000010
【図９】
2014235516.tif 000011
【図１０】
2014235516.tif 000012
【図１１】
2014235516.tif 000013
【図１２】
2014235516.tif 000014
【図１３】
2014235516.tif 000015
【図１４】
2014235516.tif 000016
【図１５】
2014235516.tif 000017